(57)【特許請求の範囲】
【請求項１】
回転駆動されるカム環の内面に形成した有底カム溝と、直進案内されたレンズ枠から径方向に突出され、この有底カム溝に移動可能に嵌まるカムフォロアと、このカムフォロアを支持して径方向に弾性変形可能で、その弾性によってカムフォロアと有底カム溝の径方向の遊びを除去する弾性支持手段とを有し、
上記有底カム溝は、その内部に上記カムフォロアが位置するときには、上記弾性支持手段が自由状態となって該カムフォロアが遊嵌されるように径方向に深く形成された深カム溝部を有し、該深カム溝部は、組立分解時にのみカムフォロアが通過される組立用領域の少なくとも一部を含んでいることを特徴とするズームレンズ鏡筒。
【請求項２】
請求項１記載のズームレンズ鏡筒において、上記有底カム溝はさらに、その内部に上記カムフォロアが位置するときには、上記弾性支持手段を弾性変形させてカムフォロアと有底カム溝を径方向に遊びなく嵌合させる、上記深カム溝部よりも径方向に浅い通常カム溝部を有し、
該通常カム溝部は、上記カム環の回転に応じて上記カムフォロアを案内して上記レンズ枠をテレ位置とワイド位置の間で光軸方向に移動させるズーム撮影領域を含んでいるズームレンズ鏡筒。
【請求項３】
請求項２記載のズームレンズ鏡筒において、上記有底カム溝の組立用領域のうち深カム溝部として形成される領域は、カム環の端面に連通するカムフォロア挿脱口から上記通常カム溝部までカムフォロアを導く導入部を含んでおり、
この導入部の途中に、上記通常カム溝部よりもさらに径方向に浅いカムフォロア抜止領域が形成されているズームレンズ鏡筒。
【請求項４】
請求項２記載のズームレンズ鏡筒において、上記カム環の内面には互いに軌跡の異なる２種類の有底カム溝が形成され、
この２種類の有底カム溝にそれぞれカムフォロアを嵌合させた第１と第２のレンズ枠と、該第１と第２のレンズ枠を直進案内する直進案内環とを有し、
第１の軌跡の有底カム溝の上記組立用領域のうち深カム溝部として形成される領域は、カム環の端面に連通するカムフォロア挿脱口から上記通常カム溝部までカムフォロアを導く導入部と、この導入部とは通常カム溝部を挟んで位置されるカム溝終端部とを含んでおり、
第２の軌跡の有底カム溝の上記組立用領域のうち深カム溝部として形成される領域は、カム環の端面に連通するカムフォロア挿脱口から上記通常カム溝部までカムフォロアを導く導入部を含んでおり、
第１の軌跡の有底カム溝のカム溝終端部と、第２の軌跡の有底カム溝のカムフォロア挿脱口とは周方向の同一位置にあり、
組み立ての際には、第１のレンズ枠のカムフォロアを第１の軌跡の有底カム溝のカムフォロア挿脱口から上記導入部に進入させ、該カムフォロアがカム溝終端部まで移動されるように上記直進案内環とカム環とを相対回転させた後、第２のレンズ枠のカムフォロアを第２の軌跡の有底カム溝のカムフォロア挿脱口から上記導入部内へ進入させるズームレンズ鏡筒。
【請求項５】
請求項４記載のズームレンズ鏡筒において、上記第１の軌跡の有底カム溝の通常カム溝部は、上記ズーム撮影領域の他に、該ズーム撮影領域と上記カム溝終端部の間に位置し上記組立用領域を構成する接続部を含んでおり、該接続部と上記カム溝終端部の深さの差によって、上記第１のレンズ枠のカムフォロアは該カム溝終端部内に保持可能であるズームレンズ鏡筒。
【請求項６】
請求項４または５記載のズームレンズ鏡筒において、上記第２の軌跡の有底カム溝の通常カム溝部は、上記ズーム撮影領域の他に、該ズーム撮影領域と上記導入部の間に位置し上記組立用領域を構成する接続部を含んでおり、該接続部と上記導入部の深さの差によって、上記第２のレンズ枠のカムフォロアは該導入部内に保持可能であるズームレンズ鏡筒。
【請求項７】
請求項４から６のいずれか１項記載のズームレンズ鏡筒において、上記第２の軌跡の有底カム溝は、上記導入部の途中に、上記通常カム溝部よりもさらに径方向に浅いカムフォロア抜止領域が形成されているズームレンズ鏡筒。
【発明の詳細な説明】
【０００１】
【技術分野】
本発明は、ズームレンズ鏡筒に関しており、特にズームレンズを移動させるために有底のカム溝を用いるズームレンズ鏡筒に関する。
【０００２】
【従来技術及びその問題点】
ズームレンズ鏡筒において、有底のカム溝を有するカム環の回転運動によって、直進案内されているレンズ群を所定の軌跡で光軸方向に直進案内する機構が知られている。このようなカム溝を用いたレンズ案内構造では、ズーム撮影領域においてカム溝とレンズ枠のカムフォロアとの嵌合が緩いとレンズに偏心誤差や傾き誤差が生じ、光学性能が悪化する。
【０００３】
特にデジタルカメラでは、銀塩フィルムカメラの画面サイズに比して遙かに小さいＣＣＤ上に結像させるため、レンズに要求される精度は例えば１桁高い。例えば画角を同一とすると、イメージサイズが小さいだけレンズの焦点距離は短くなり、レンズ、レンズ枠その他全てが小さくなる。すると、同じ誤差、例えば１０μｍの誤差がレンズ系に与える影響は、デジタルカメラにおいてより大きい。つまり、銀塩フィルムカメラでは光学性能上問題にならなかった誤差が、デジタルカメラでは問題となる。特にデジタルカメラのレンズ系では、光軸方向の誤差よりも、偏心誤差、傾き誤差が光学性能に与える影響が大きい。
【０００４】
この誤差をなくすために、カムフォロアを弾性支持体で支持し、この弾性支持体を径方向に弾性変形させた状態でカム溝に対してカムフォロアが嵌合するようなガタ除去機構が提案されている。弾性変形された弾性支持体が復元しようする力により、カムフォロアはカム溝との嵌合方向に付勢されて該カム溝とフリクションをもって嵌合され、ガタが除去される。
【０００５】
ところが、ズームレンズ鏡筒のカム溝には、組立時や分解時にカムフォロアをズーム撮影領域まで導くための組立用領域が形成されている。このような、カメラの使用状態では用いないカム溝部分に関しても弾性支持体によってカムフォロアとカム溝の間にフリクションが与えられていると、組立や分解の際の抵抗が大きくなるため作業性が良くない。
【０００６】
【発明の目的】
本発明は以上の問題点に鑑みてなされたものであり、撮影時にはレンズの位置ずれを確実に防ぎ、かつ組立分解性に優れたズームレンズ鏡筒を得ることを目的とする。
【０００７】
【発明の概要】
本発明のズームレンズ鏡筒は、回転駆動されるカム環の内面に形成した有底カム溝と、直進案内されたレンズ枠から径方向に突出され、この有底カム溝に移動可能に嵌まるカムフォロアと、このカムフォロアを支持して径方向に弾性変形可能で、その弾性によってカムフォロアと有底カム溝の径方向の遊びを除去する弾性支持手段とを有し、有底カム溝は、その内部にカムフォロアが位置するときには、弾性支持手段が自由状態となって該カムフォロアが遊嵌されるように径方向に深く形成された深カム溝部を有しており、該深カム溝部は、組立分解時にのみカムフォロアが通過される組立用領域の少なくとも一部を含んでいることを特徴としている。このズームレンズ鏡筒によれば、カメラの使用状態では用いない組立分解専用のカム溝部では、カムフォロアとカム溝の間の摺動抵抗が低減されるので、組立や分解を軽い力で行うことができ、作業性が向上する。
【０００８】
このズームレンズ鏡筒では、有底カム溝がさらに、その内部に上記カムフォロアが位置するときには、上記弾性支持手段を弾性変形させてカムフォロアと有底カム溝を径方向に遊びなく嵌合させる、深カム溝部よりも径方向に浅い通常カム溝部を有しており、該通常カム溝部は、カム環の回転に応じてカムフォロアを案内してレンズ枠をテレ位置とワイド位置の間で光軸方向に移動させるズーム撮影領域を含んでいることが望ましい。
【０００９】
また、有底カム溝の組立用領域のうち深カム溝部として形成される領域は、カム環の端面に連通するカムフォロア挿脱口から通常カム溝部までカムフォロアを導く導入部含んでおり、さらにこの導入部の途中に、通常カム溝部よりも径方向に浅いカムフォロア抜止領域が形成されることが好ましい。この抜止領域により、組立時における有底カム溝からのカムフォロアの不用意な脱落を防止して、組立作業性を向上させることができる。
【００１０】
本発明のズームレンズ鏡筒で、カム環の内面に互いに軌跡の異なる２種類の有底カム溝が形成され、この２種類の有底カム溝にそれぞれカムフォロアを嵌合させた第１と第２のレンズ枠と、該第１と第２のレンズ枠を直進案内する直進案内環とを有するときには次のように構成することが好ましい。第１の軌跡のうち組立用領域のうち深カム溝部として形成される領域が、カム環の端面に連通するカムフォロア挿脱口から通常カム溝部までまでカムフォロアを導く導入部と、この導入部とは通常カム溝部を挟んで位置されるカム溝終端部とを含み、第２の軌跡のうち組立用領域のうち深カム溝部として形成される領域が、カム環の端面に連通するカムフォロア挿脱口から通常カム溝部までカムフォロアを導く導入部を含むようにし、第１の軌跡の有底カム溝のカム溝終端部と、第２の軌跡の有底カム溝のカムフォロア挿脱口とを周方向の同一位置に形成する。そして、組み立ての際には、第１のレンズ枠のカムフォロアを第１の軌跡の有底カム溝のカムフォロア挿脱口から導入部に進入させ、該カムフォロアがカム溝終端部まで移動されるように直進案内環とカム環とを相対回転させた後、第２のレンズ枠のカムフォロアを第２の軌跡の有底カム溝のカムフォロア挿脱口から導入部内へ進入させる。この構成によれば、組立分解時にカムフォロアとカム溝の摺動抵抗を抑えて作業性が向上するだけでなく、第２のレンズ枠を組み付ける時点での、直進案内環に対する第１と第２のレンズ枠の回転位相を一致させることができる。したがって、例えば直進案内環が直進案内用の貫通溝を有し、レンズ枠側の突起がこの貫通溝に嵌まって直進案内されるような場合に、第１と第２のレンズ枠で直進案内用の貫通溝を共用させることができ、ズームレンズ鏡筒の構成簡略化、強度確保などを図ることができる。
【００１１】
このように第１と第２の軌跡の有底カム溝を備える場合、第１の軌跡の有底カム溝の通常カム溝部が、ズーム撮影領域の他に、該ズーム撮影領域とカム溝終端部の間に位置して組立用領域を構成する接続部を含み、この接続部とカム溝終端部の深さの差によって、第１のレンズ枠のカムフォロアが該カム溝終端部に保持可能であることが好ましい。また、第２の軌跡の有底カム溝の通常カム溝部が、ズーム撮影領域の他に、該ズーム撮影領域と導入部の間に位置して組立用領域を構成する接続部を含んでおり、この接続部と導入部の深さの差によって、第２のレンズ枠のカムフォロアが該導入部内に保持可能であることが好ましい。この構成によれば、第２のレンズ枠のカムフォロアの組込または抜取に対応する回転位置で、各カムフォロアを止めることができるので、組立分解作業性が向上する。
【００１２】
また、第１と第２の軌跡の有底カム溝のうち、第２の軌跡の有底カム溝には、その導入部の途中に、通常カム溝部よりもさらに径方向に浅いカムフォロア抜止領域が形成されていることが好ましい。
【００１３】
【発明の実施形態】
本実施形態は、デジタルカメラ用ズームレンズに本発明を適用したものである。最初に全体構造を説明し、次に本発明の特徴部分を説明する。
【００１４】
【本実施形態のレンズ鏡筒全体の説明】
図１、図２を参照して本実施形態のズームレンズ鏡筒の構成を説明する。以下の説明において、部材名称の次の数字の後の括弧付き大文字（Ｆ）は、その部材が固定されていることを示し、同（Ｌ）は光軸方向に直進移動することを示し、同（ＲＬ）は回転しつつ光軸方向に移動することを示す。
【００１５】
この実施形態のレンズ構成は、物体側から順に、第１レンズ群Ｌ１（Ｌ）、第２レンズ群Ｌ２（Ｌ）、及び第３レンズ群Ｌ３（Ｌ）からなり、第１レンズ群Ｌ１と第２レンズ群Ｌ２をその間隔を変化させながら所定の軌跡で光軸方向に移動させることでズーミングが行われる。第３レンズ群Ｌ３は、第１レンズ群Ｌ１、第２レンズ群Ｌ２の位置に拘わらず、フォーカシングレンズとして機能するもので、いわゆるリヤフォーカシングのズームレンズ系である。
【００１６】
カメラボディに固定される（あるいはカメラボディの一部を構成する）ハウジング１０（Ｆ）には、固定環１１（Ｆ）が固定されている。固定環１１は、その外周面に細密雄ねじ１１ａを有し、内周面に、雌ヘリコイド１１ｂと、この雌ヘリコイド１１ｂの一部を切り欠いて形成した光軸と平行な方向の直進案内溝１１ｃを有している。直進案内溝１１ｃは、１２０゜間隔で３本形成されている。
【００１７】
ハウジング１０には、図２に示すように、ＣＣＤ挿入窓１０ａ、フィルタ固定部１０ｂ、フォーカスレンズ群移動ガイド１０ｃが備えられている。ＣＣＤ挿入窓１０ａには、基板１２に固定されたＣＣＤ１２ａが臨み、フィルタ固定部１０ｂには、ローパスフィルタ等のフィルタ１０ｄが固定されている。フォーカスレンズ群移動ガイド１０ｃには、光軸方向に移動可能に第３レンズ群Ｌ３が支持されており、送りねじ１０ｅの回転方向と回転角度（量）によって、第３レンズ群Ｌ３の移動位置が決定される。送りねじ１０ｅの回転角度は、パルスモータ（エンコーダ）によってパルス管理される。
【００１８】
固定環１１の外側には回転環１３（ＲＬ）が位置し、この回転環１３の内周面に形成した雌ねじ１３ａが固定環１１の雄ねじ１１ａに螺合している。この回転環１３は、外周面にギヤ１３ｂ（図１）を有し、このギヤ１３ｂに噛み合うピニオン（図示せず）を介して回転駆動される。回転環１３は、回転駆動されると、雌ねじ１３ａに従い、回転しながら光軸方向に移動する。この回転環１３の先端部の内面には、１２０゜間隔で、回転伝達突起１３ｃが形成されている。また、回転環１３の外周面には、周方向に向けてコード板１４（ＲＬ）（図１）が固定されており、ハウジング１０には、このコード板１４と摺接するブラシ１５（Ｆ）（同）が固定されている。コード板１４とブラシ１５は、雄ねじ１１ａ（雌ねじ１３ａ）に従って光軸方向に進退するコード板１４（回転環１３）の移動位置に拘わらず互いに接触を維持し、回転環１３の回転位置をデジタル情報及び（又は）アナログ情報として検出するように設けられている。回転環１３の雌ねじ１３ａは、回転環１３を固定環１１に回転自在に支持する手段であり、回転環１３は、固定環１１に光軸方向の移動を規制して回転のみ可能に支持してもよい。
【００１９】
固定環１１の内側には、直進案内環１６（Ｌ）と、この直進案内環１６の外周面に光軸方向移動を規制し相対回転を可能にして嵌めたカム環１７（ＲＬ）と、このカム環１７の先端部外周に回転方向には一緒に回転し光軸方向には相対移動可能に嵌めた第２カム環１８（ＲＬ）との結合体が位置している。すなわち、直進案内環１６は、その後端部に外方フランジ１６ａを有し、前端部には直進案内リング（フランジリング）１９（Ｌ）がリテーナリング２０（Ｌ）を介して固定されている。カム環１７は、この外方フランジ１６ａと直進案内リング１９との間に挟着されて、直進案内環１６に対して相対回転は自由に光軸方向には一緒に移動するように支持されている。
【００２０】
カム環１７の先端部に嵌めた第２カム環１８は、カム環１７の外周面に１２０゜間隔で形成したストッパ突起１７ａに摺動自在に係合する直進ガイド部１８ａを有していて、カム環１７に対する相対回動は生ぜず、光軸方向の相対移動のみ可能に支持されている。このストッパ突起１７ａと直進ガイド部１８ａの近傍には、第２カム環１８を前方に移動付勢する圧縮ばね２１が挿入されており、第２カム環１８は常時は直進案内リング１９に当接している。第２カム環１８は、ストッパ突起１７ａと直進ガイド部１８ａの光軸方向のクリアランス分だけ、圧縮ばね２１を撓ませながら後退することが可能である。また、径方向のクリアランスだけ傾くこともできる。
【００２１】
カム環１７の外周面には、固定環１１の雌ヘリコイド１１ｂと螺合する雄ヘリコイド１７ｂが形成されており、この雄ヘリコイド１７ｂの一部を切除して、回転環１３の回転伝達突起１３ｃが摺動可能に嵌まる光軸と平行な回転伝達溝１７ｃが形成されている。一方、直進案内環１６の外方フランジ１６ａには、径方向外方に突出して固定環１１の直進案内溝１１ｃに嵌まる直進案内突起１６ｂが１２０゜間隔で形成されている。直進案内環１６にはまた、直進案内突起１６ｂと周方向位置を同一にして、１２０゜間隔で光軸と平行な方向の貫通した直進案内貫通溝１６ｃが形成されている。
【００２２】
直進案内貫通溝１６ｃは、図４、図５に示すように、直進案内環１６の後端面に開口しており、その外径側は、外方フランジ１６ａと直進案内突起１６ｂによって閉塞されている。外方フランジ１６ａには、この直進案内突起１６ｂと周方向位置を同じくしてその内径側にカムフォロアの挿入溝１６ｈが形成されている。
【００２３】
直進案内環１６、カム環１７及び第２カム環１８の結合体を、固定環１１と回転環１３に係合させる際には、固定環１１の各直進案内溝１１ｃに導入部１１ｄから直進案内環１６の各直進案内突起１６ｂを嵌めるとともに、カム環１７の各回転伝達溝１７ｃに導入部１７ｄから回転環１３の各回転伝達突起１３ｃを嵌め、その状態で固定環１１の雌ヘリコイド１１ｂとカム環１７の雄ヘリコイド１７ｂとを螺合させる。また、固定環１１の雄ねじ１１ａと回転環１３の雌ねじ１３ａを螺合させる。
【００２４】
こうして図２のように組立が完了した状態では、ギヤ１３ｂを介して回転環１３を回転駆動すると、回転環１３は雌ねじ１３ａと雄ねじ１１ａの螺合関係で回転しながら光軸方向に進退し、同時にカム環１７と該カム環１７の外径側に載っている第２カム環１８には、回転伝達突起１３ｃと回転伝達溝１７ｃの摺動関係で回転が伝達され、雄ヘリコイド１７ｂと雌ヘリコイド１１ｂとの螺合関係で光軸方向の移動が与えられる。このとき、直進案内環１６は、直進案内突起１６ｂと直進案内溝１１ｃの摺動関係で回転することなく光軸方向に進退し、直進案内環１６に対して相対回転するカム環１７、第２カム環１８が直進案内環１６と光軸方向に一緒に移動する。
【００２５】
カム環１７の内周面には、図３に展開形状を示す１群用カム溝１７Ｃ１と２群用カム溝１７Ｃ２とが形成されている。この１群用カム溝１７Ｃ１と２群用カム溝１７Ｃ２は、同一形状を１２０゜間隔で３本形成したもので、カム環１７の回転方向に順に、収納位置、テレ端位置、ワイド端位置を有している。収納位置からワイド端位置に至るカム環１７の回転角度はＡである。
【００２６】
第１レンズ群Ｌ１を保持した第１レンズ枠２２（Ｌ）と、第２レンズ群Ｌ２を保持した第２レンズ枠２３（Ｌ）とは、この１群用カム溝１７Ｃ１と２群用カム溝１７Ｃ２、及び直進案内環１６の直進案内貫通溝１６ｃによって案内され、光軸方向に直進移動する。第１レンズ枠２２は、筒状部２２ａから後方に突出する弾性舌片２２ｂを１２０゜間隔で３個備えており、この弾性舌片２２ｂ上に、径方向に突出し直進案内貫通溝１６ｃに摺動自在に嵌まる角突起２２ｃが形成され、この角突起２２ｃ上に径方向に突出するフォロアピン２２ｄが植設固定されている。角突起２２ｃは、直進案内溝１６ｃとの接触部が平行平面である突起であればよい。第１レンズ群Ｌ１を固定したレンズ筒２２ｅは、筒状部２２ａの内周面にねじ２２ｆで結合されており、螺合位置を調節することで、第１レンズ枠２２内での第１レンズ群Ｌ１の光軸方向の位置調節ができる。レンズ筒２２ｅは、第１レンズ枠２２のフランジ２２ｇとの間にウェーブワッシャ２２ｈを挟着しており、ウェーブワッシャ２２ｈの弾性によって、レンズ筒２２ｅ（第１レンズ群Ｌ１）の光軸方向の遊びを除去している。
【００２７】
第２レンズ枠２３は、環状部２３ａから前方に突出する弾性舌片２３ｂを１２０゜間隔で３個備えており、この弾性舌片２３ｂ上に、径方向に突出し直進案内貫通溝１６ｃに摺動自在に嵌まる角突起２３ｃが形成され、この角突起２３ｃ上に径方向に突出するフォロアピン２３ｄが植設固定されている。この角突起２３ｃとフォロアピン２３ｄは、弾性舌片２３ｂの方向が弾性舌片２２ｂの方向とは逆である点を除き、第１レンズ枠２２の角突起２２ｃとフォロアピン２２ｄと同様である。第２レンズ群Ｌ２を固定したレンズ筒２３ｅは、固定ねじ２３ｆを介して第２レンズ枠２３のフランジ２３ｇに固定されている。この第２レンズ枠２３のフランジ２３ｇには、シャッタブロック２４が固定されている。シャッタブロック２４は、シャッタレリーズ時に、ＣＣＤ１２ａに与えられる光束を遮断する機能を持つ。
【００２８】
以上の第１レンズ枠２２と第２レンズ枠２３はそれぞれ、各角突起２２ｃと角突起２３ｃを直進案内環１６の対応する同一の直進案内貫通溝１６ｃに嵌めることで直進案内されている。そして、フォロアピン２２ｄとフォロアピン２３ｄは、直進案内環１６の直進案内貫通溝１６ｃから径方向に突出して、直進案内環１６の外周に相対摺動自在に嵌まっているカム環１７の１群用カム溝１７Ｃ１と２群用カム溝１７Ｃ２にそれぞれ嵌まっている。なお、第１レンズ枠２２と第２レンズ枠２３を直進案内環１６及びカム環１７内に嵌めるときには、直進案内環１６の後端面から、角突起２２ｃと２３ｃを直進案内貫通溝１６ｃに嵌め、フォロアピン２２ｄと２３ｄをカムフォロア挿入溝１６ｈを通過させてから、カム溝１７Ｃ１と１７Ｃ２に嵌める。なお、図３において、カム溝１７Ｃ１、１７Ｃ２の輪郭内にハッチングを付した領域は、組立時や分解時にのみフォロアピン２２ｄ、２３ｄが通過する領域であり、使用状態では使用しない。
【００２９】
以上の案内構造により、回転環１３に回転が与えられると、カム環１７と第２カム環１８は回転しながら、直進案内環１６は回転することなく、直進案内環１６、カム環１７、第２カム環１８の結合体が光軸方向に進退する。その結果、第１レンズ枠２２（第１レンズ群Ｌ１）と第２レンズ枠２３（第２レンズ群Ｌ２）が、１群用カム溝１７Ｃ１と２群用カム溝１７Ｃ２のカムプロフィルに従い、互いの空気間隔を変化させながら光軸方向に直進移動してズーミングがなされる。
【００３０】
次に、直進案内環１６の先端部に対する直進案内リング１９とリテーナリング２０の結合構造を図６と図７について説明する。直進案内環１６には、その先端部に、径方向に突出させて１２０゜間隔で、３個のバヨネット爪１６ｄが形成されており、このバヨネット爪１６ｄの間に小径挿入部１６ｅが位置している。バヨネット爪１６ｄの背面には、小径挿入部１６ｅと同径の小径部１６ｆが形成されており、バヨネット爪１６ｄの背面に位置させて、小径部１６ｆを軸と平行な方向に切り欠いた回転規制凹部１６ｇが形成されている。
【００３１】
一方、直進案内リング１９には、その内周面に、小径挿入部１６ｅからバヨネット爪１６ｄの間に挿入可能で、挿入後小径部１６ｆに対して相対回転可能な回転規制凸部１９ａが１２０゜間隔で形成されている。また、この直進案内リング１９には、外周面に、回転規制凸部１９ａとの周方向位置を定めた直進案内突起１９ｂが１２０゜間隔で形成されている。
【００３２】
リテーナリング２０には、その内周面に、直進案内環１６の小径挿入部１６ｅからバヨネット爪１６ｄの間に挿入可能で、挿入後小径部１６ｆに対し相対回転可能な固定爪２０ａが１２０゜間隔で形成されている。また前端面には、回転操作用のカニメ溝２０ｂが形成されている。
【００３３】
直進案内リング１９を直進案内環１６の先端部に固定する際には、直進案内リング１９をその回転規制凸部１９ａを小径挿入部１６ｅに嵌めて小径部１６ｆ上で回転させ、回転規制凸部１９ａをバヨネット爪１６ｄの背面に移動させて回転規制凹部１６ｇに嵌合させる。この嵌合により、直進案内リング１９の直進案内環１６に対する周方向位置が定まる。次に、リテーナリング２０をその固定爪２０ａを小径挿入部１６ｅに嵌めて小径部１６ｆ上で回転させ、回転規制凸部１９ａを回転規制凹部１６ｇに押し付けて、直進案内リング１９の軸方向の移動を抑える。このロック状態では、固定爪２０ａがバヨネット爪１６ｄと回転規制凸部１９ａの間に入り、直進案内リング１９の抜けを固定爪２０ａとバヨネット爪１６ｄが防止することになる。直進案内環１６とリテーナリング２０の間には、ロック状態でリテーナリング２０の回転を防止する（クリック感を与える）凹凸が設けられている。図６では、直進案内環１６側の凹凸１６ｊのみを示した。
【００３４】
このようにして直進案内環１６の先端に固定された直進案内リング１９の直進案内突起１９ｂは、直進案内環１６の直進案内突起１６ｂに対して予め定めた特定の位置（角度関係）にある。この直進案内突起１９ｂは、外観筒（フード筒）２５（Ｌ）の内周面に１２０゜間隔で形成した光軸と平行な方向の直進ガイド溝２５ａに嵌まり、外観筒２５を回転させることなく光軸方向移動のみ可能に案内している。外観筒２５には、１２０゜間隔で３本のガイドピン２５ｂが植設されており、このガイドピン２５ｂは、第２カム環１８の外周面に１２０゜間隔で形成した同一形状の進退ガイド溝１８ｂに嵌まっている。
【００３５】
進退ガイド溝１８ｂは、図８、図９に示すように、ガイドピン２５ｂを組立時に進入させる組立位置と、カム環１７の収納位置、テレ端位置、ワイド端位置に対応する収納位置、テレ端位置、ワイド端位置を有し、カム環１７と一緒に回転する第２カム環１８の回転位置に応じて、外観筒２５を光軸方向に進退させる。すなわち、外観筒２５を画角の狭いテレ端位置では第２カム環１８（第１レンズ群Ｌ１）に対して前進させ、画角の広いワイド端位置では後退させることで、レンズフードとしての役割を与えたものである。図１０はワイド端位置での外観筒２５の位置、図１１はテレ端位置で外観筒２５の位置を示している。
【００３６】
このように、外観筒２５を案内する第２カム環１８と、第１レンズ群Ｌ１、第２レンズ群Ｌ２を案内するカム環１７との間には、第２カム環１８を前方に移動付勢する圧縮ばね２１が挿入されているため、使用中に外観筒２５に押し込み方向の外力が加わった場合には、その外力の少なくとも一部を圧縮ばね２１によって吸収することができる。つまり、外力は、圧縮ばね２１を圧縮した後、第２カム環１８からカム環１７に伝達されるため、カム環１７には大きな外力が加わることがない。よって、第１レンズ群Ｌ１、第２レンズ群Ｌ２の位置精度に対する影響を少なくすることができる。外観筒２５のより詳細な動き及び作用については、外観筒２２の先端に固定されるバリヤブロック２７を説明した後、さらに図１２を用いて説明する。図１における符号２９（Ｆ）は、外観筒２５がその内側を進退する、カメラボディ側と一体のカバー筒である。
【００３７】
外観筒２５には、その前端部内径に、バリヤ駆動環２６が回転自在に支持されている。このバリヤ駆動環２６は、その回転運動によりバリヤブロック２７のバリヤを開閉するものである。バリヤブロック２７は、図１、及び図１３ないし図１５に示すように、撮影開口２７ａを有する化粧板２７ｂ、この化粧板２７ｂに撮影開口２７ａを開閉するように支持した二対のバリヤ２７ｃ、２７ｄ、これらバリヤ２７ｃ、２７ｄを撮影開口２７ａを閉じる方向に付勢する一対のトーションばね２７ｅ、化粧板２７ｂとの間にこれら要素を挟着保持するバリヤ押え板２７ｆとを有していて、予め別ユニットとして組み立てられる。バリヤ２７ｃ、２７ｄは、化粧板２７ｂに設けた共通軸２７ｇに同軸に回動自在であり、内側のバリヤ２７ｄは、化粧板２７ｂのばね掛け軸２７ｎに掛けとめたトーションばね２７ｅにより閉方向に回動付勢されている。バリヤ２７ｄには、トーションばね２７ｅの力に抗してバリヤ２７ｄを開くための開閉突起２７ｈが突出形成されており、バリヤ２７ｃには、バリヤ２７ｄが開方向に動くとき、バリヤ２７ｄの縁部に係合してバリヤ２７ｄとともにバリヤ２７ｃを開方向に動かす連動突起２７ｉが形成されている。また、バリヤ２７ｃと２７ｄには、その対向面に、バリヤ２７ｄが閉方向に動くとき、バリヤ２７ｄを一緒にバリヤ２７ｃを閉方向に動かす連動突起２７ｊと２７ｋ（図１５）が形成されている。バリヤ押え板２７ｆには開閉突起２７ｈをバリヤ駆動環２６側に突出させる露出穴２７ｍが形成されている。
【００３８】
バリヤ駆動環２６は、図１６ないし図１８に示すように、バリヤ駆動環２６自身に形成したばね掛け突起２６ｂと、外観筒２５に形成したばね掛け突起２５ｃとの間に張設した、トーションばね２７ｅより強い引張ばね２８によって、バリア開方向に回動付勢されており、このバリヤ駆動環２６に、バリヤ２７ｄの開閉突起２７ｈと係合してバリヤ２７ｃ、２７ｄを開く開閉ダボ２６ｃが形成されている。バリヤ駆動環２６は、引張ばね２８の力による回動端に位置するときには、その開閉ダボ２６ｃが開閉突起２７ｈを押圧して、トーションばね２７ｅの力に抗してバリヤ２７ｄを開き、連動突起２７ｉを介して２７ｃも開く（図１５）。
【００３９】
一方、バリヤ駆動環２６は、図１６に示すように、その周方向の一部に、第２カム環１８側に突出する回転伝達突起２６ａを有しており、この回転伝達突起２６ａは、第２カム環１８に形成した回転付与凹部１８ｃ（図８、図９も参照）と係脱する。バリヤ駆動環２６は、外観筒２５に光軸方向の定位置で回転可能に支持されているから、外観筒２５が第２カム環１８の進退ガイド溝１８ｂに従って光軸方向に直進進退すると、図８、図９に明らかなように、回転する第２カム環１８に対して接離する。回転伝達突起２６ａと回転付与凹部１８ｃは、撮影位置（テレ端位置とワイド端位置の間）では図８のように互いに接触（係合）することがなく、テレ端位置から収納位置に移動する間に、図９のように互いに係合して回転付与凹部１８ｃによりバリヤ駆動環２６に強制回転力が与えられるように形成されている。バリヤ駆動環２６が引張ばね２８に抗する移動端に回動すると、バリヤ駆動環２６の開閉ダボ２６ｃがバリヤ２７ｄの開閉突起２７ｈから離れ、その結果トーションばね２７ｅの力によりバリヤ２７ｄが開き、連動突起２７ｋ、２７ｊを介してバリヤ２７ｃが閉じて撮影開口２７ａが閉じる（図１４）。逆に、収納位置からテレ端位置に移行する間には、回転伝達突起２６ａが回転付与凹部１８ｃから徐々に離れ、引張ばね２８によりバリヤ駆動環２６がバリヤ開放方向に回動する結果、開閉ダボ２６ｃが開閉突起２７ｈを押し連動突起２７ｉを介して、バリヤ２７ｃ、２７ｄが開く。つまり、バリヤ２７ｃ、２７ｄの開閉は、バリヤ駆動環２６の回転によって行われる。なお、バリヤ駆動環２６に形成された回転伝達突起２６ａは唯一であるのに対し、第２カム環１８に形成した回転付与凹部１８ｃは、１２０°間隔で３個形成されていて、組立時にいずれかを選択できるようになっている。
【００４０】
上述のように、光軸方向に直進移動するように案内されている外観筒２５は、第２カム環１８の回動によって前後移動する。一方、第１レンズ群Ｌ１と第２レンズ群Ｌ２はカム環１７の回動によって前後移動する。図１２は、収納位置、テレ端位置からワイド端位置における、ＣＣＤ１２ａの像面、第１レンズ群Ｌ１と第２レンズ群Ｌ２（の主点位置）、及び外観筒２５の先端のバリヤブロック２７（の先端部の化粧板２７ｂの撮影開口２７ａ）の位置変化を示したものである。カム環１７のカム溝１７Ｃ１と１７Ｃ２、および第２カム環１８の進退カム溝１８ｂは、このような移動軌跡が得られるように定められている。撮影開口２７ａは、正面略矩形をなしていて、その短辺方向の画角、長辺方向の画角、対角方向の画角の順に大きい。図１０、図１１では、撮影開口２７ａの短辺方向から入射する光束Ｓ、長辺方向から入射する光束Ｍ、及び対角方向から入射する光束Ｌの角度を示している。
【００４１】
なお、バリヤ駆動環２６にはその内径部に、バリヤ駆動環２６から第１レンズ枠２２の先端部外周に延びる遮光筒２６ｄが固定（接着）されている。遮光筒２６ｄは光軸を中心とする回転対称形状をしており、バリヤ駆動環２６の往復回動によって往復回動してもその遮光機能は変化しない。
【００４２】
また、以上のズームレンズ鏡筒を構成する部品は、各ばね、送りねじ１０ｅ、固定ねじ２３ｆ、フォロアピン２２ｄ、２３ｄ、シャッタブロック２４及びガイドピン２５ｂを除き、すべて合成樹脂材料の成形品からなっている。
【００４３】
また、以上の実施形態では、第３レンズ群Ｌ３をフォーカスレンズ群としているが、別のレンズ群、例えば第１レンズ群Ｌ１または第２レンズ群Ｌ２をフォーカスレンズ群としてもよい。第２レンズ群Ｌ２をフォーカスレンズ群とする場合、シャッタブロック２４に、フォーカシング機能を与えることができ、このようなシャッタブロックは周知である。
【００４４】
【本発明の特徴部分の説明】
カム環１７の内周面に有底のカム溝として形成した１群用カム溝１７Ｃ１と２群用カム溝１７Ｃ２は径方向の深さが一様ではない。この有底カム溝の深さについて図３と図１９を参照して説明する。図３では、図中右方が光軸方向の前方で、左方が後方である。１群用カム溝１７Ｃ１と２群用カム溝１７Ｃ２はそれぞれ、テレ位置（ＴＥＬＥ）とワイド位置（ＷＩＤＥ）の間の領域、すなわち撮影時に用いるズーム撮影領域を含む領域では、図１９に断面を示す通常カム溝部αとして形成されている。またカム溝１７Ｃ１、１７Ｃ２において、符号βを付した領域は、通常カム溝部αよりも径方向に深い深カム溝部βとして形成されている。通常カム溝部αと深カム溝部βはそれぞれ、図１９に深さＤ１、Ｄ２として示すしている。
【００４５】
詳細には、１群用カム溝１７Ｃ１では、カム環１７の後端部に連通するフォロアピン挿脱口１７Ｃ１ｘから収納位置を若干過ぎた位置までの導入部β１と、ワイド位置よりも先の終端部β２とが、深カム溝部βとなっており、この導入部β１と終端部β２の間の領域が通常カム溝部αとなっている。この１群用カム溝１７Ｃ１の通常カム溝部αにはテレ位置とワイド位置（すなわちズーム撮影領域）が含まれ、さらにワイド位置から終端部β２の直前までの接続部ｙ１も通常カム溝部αとして形成されている。逆に言えば、１群用カム溝１７Ｃ１の通常カム溝部αは、収納位置を若干過ぎた位置から終端部β２の直前までの領域であり、それ以外の領域が深カム溝部βとして形成されている。
【００４６】
一方、２群用カム溝１７Ｃ２では、カム環１７の後端部に連通するフォロアピン挿脱口１７Ｃ２ｘから該フォロアピン挿脱口１７Ｃ２ｘの若干前方に位置するカム溝折曲部分まで光軸方向と平行に延びる導入部β３と、テレ位置より先の収納位置に対応する終端部β４とが、深カム溝部βとなっており、この導入部β３と終端部β４の間の領域が通常カム溝部αとなっている。１群用カム溝１７Ｃ１と同様に、この２群用カム溝１７Ｃ２の通常カム溝部αにはテレ位置とワイド位置（すなわちズーム撮影領域）が含まれ、さらにワイド位置から導入部β３の直前までの接続部ｙ２も通常カム溝部αとして形成されている。逆に言えば、２群用カム溝１７Ｃ２の通常カム溝部αは、光軸方向に延びる導入部β３を過ぎた位置から終端部β４の直前までの領域である。
【００４７】
１群用カム溝１７Ｃ１と２群用カム溝１７Ｃ２は、通常カム溝部αの一部として形成されたズーム撮影領域が互いに周方向の同一位置に形成されており、深カム溝部βの一部として形成された収納位置（導入部β１の一部、終端部β４）も互いに周方向の同一位置に形成されている。
【００４８】
さらに、２群用カム溝１７Ｃ２には、上述の導入部（β３）の途中に、通常カム溝部αよりも浅い浅カム溝部γ（カムフォロア抜止領域）が形成されている。浅カム溝部γは、図１９に深さＤ３として示している。
【００４９】
１群用カム溝１７Ｃ１の終端部β２と、フォロアピン挿脱口１７Ｃ２ｘを含む２群用カム溝１７Ｃ２の導入部β３とは、カム環１７の円周方向の同一位置（図３において外観筒分解と記載した位置）に位置している。
【００５０】
図１９に示すように、通常カム溝部α、深カム溝部β、及び浅カム溝部γは、互いの底面の幅Ｗ１は等しい。また各カム溝部α、β、及びγでは、鏡筒内径側の開口から該底面までがテーパー面となっているが、このテーパー面の傾斜角も互いに共通している。このように各カム溝部α、β、及びγにおいて底面幅とテーパー面の角度を共通とすることによって、途中で深さが変化するカム溝であっても加工し易くなっている。なお、カム溝部α、β、及びγでは、それぞれの内径側の開口幅Ｗ２、Ｗ３及びＷ４は、Ｗ４＜Ｗ２＜Ｗ３の関係にある。
【００５１】
カム溝１７Ｃ１と１７Ｃ２の通常カム溝部α内にフォロアピン２２ｄと２３ｄが位置しているときには、これらフォロアピンを支持する弾性舌片（弾性支持手段）２２ｂと２３ｂが鏡筒内径方向に若干押し込まれて弾性変形した状態となっている。この弾性変形された弾性舌片２２ｂと２３ｂが復元しようとする力によって、フォロアピン２２ｄと２３ｄにはカム溝１７Ｃ１と１７Ｃ２に嵌合する方向への力が作用し、フォロアピンと有底のカム溝の間における径方向の遊びが除去される。つまり、ズーム撮影領域では、第１レンズ枠２２と第２レンズ枠２３はガタなくカム環１７及び直進案内環１６の内方に支持され、その径方向における位置が正確に決定されており、レンズ群の偏心誤差や倒れを防ぐことができる。
【００５２】
一方、カム環１７がテレ位置から収納位置に対応する回転位置に回転されたときには、その回転の途中で、フォロアピン２２ｄと２３ｄの嵌合対象が通常カム溝部αから深カム溝部β（導入部β１、終端部β４）に変化する。すると、フォロアピン２２ｄと２３ｄの先端部に対するカム溝１７Ｃ１と１７Ｃ２の底面位置が遠くなり、該フォロアピン２２ｄと２３ｄの突出方向への移動が許されるので、弾性舌片２２ｂと２３ｂは内径方向への弾性変形が解消された自由状態となり、カム溝１７Ｃ１と１７Ｃ２に対してフォロアピン２２ｄと２３ｄは遊嵌された状態になる。したがって、ズームレンズ鏡筒が収納位置にあるときには、弾性舌片２２ｂと２３ｂには負荷がかからない。
【００５３】
カム溝の使用領域において、ズーム撮影領域とは別に撮影を行わない収納位置を有するズームレンズ鏡筒では、一般に収納位置にある時間が最も長い。よって収納位置において、フォロアピンを支持する弾性舌片に負荷を与え続けると、徐々にその弾性力が弱まってしまうおそれがある。弾性力が弱まると、フォロアピンが有底カム溝のズーム撮影領域内にあるときでも、上述のレンズ枠保持作用が保証されなくなり、光学性能が劣化するおそれがある。これに対し、本実施形態のズームレンズ鏡筒は、鏡筒収納位置では、各フォロアピン２２ｄ、２３ｄはそれぞれ、深カム溝部βの一部として形成された導入部β１、終端部β４に位置するので、該収納位置においては弾性舌片２２ｂと２３ｂへ負荷がかからず、鏡筒収納状態が長く続いたとしてもその弾性力が損なわれるおそれがない。収納位置では撮影を行わないので、フォロアピン２２ｄ、２３ｄとカム溝１７Ｃ１、１７Ｃ２の嵌合が緩くても実用上問題はない。収納位置からズーム撮影領域側にフォロアピン２２ｄと２３ｄが移動すれば、少なくとも撮影可能範囲の最初であるテレ位置ではフォロアピン２２ｄと２３ｄは通常カム溝部α内に位置しているので、弾性舌片２２ｂと２３ｂが内径側に弾性変形してフォロアピンとカム溝の間のガタが除去されて正確なレンズ位置が得られる。
【００５４】
以上のフォロアピン２２ｄと２３ｄをカム溝１７Ｃ１と１７Ｃ２に嵌めて第１レンズ枠２２と第２レンズ枠２３をカム環１７に組み付ける作業は、以下のように行う。１群用カム溝１７Ｃ１と２群用カム溝１７Ｃ２はそれぞれ、カム環１７の後端部に連通するフォロアピン挿脱口１７Ｃ１ｘと１７Ｃ２ｘを有している。まず、１群用カム溝１７Ｃ１のフォロアピン挿脱口１７Ｃ１ｘから導入部β１にフォロアピン２２ｄを進入させてから、該フォロアピン２２ｄが１群用カム溝１７Ｃ１の終端部β２まで移動するように、直進案内環１６とカム環１７とを相対的に回転させる。第１レンズ枠２２は角突起２２ｃで直進案内環１６の直進案内貫通溝１６ｃに直進案内されるため、カム環１７との回転位相が変化すると、該カム環１７内を１群用カム溝１７Ｃ１の軌跡に応じて光軸方向に移動される。フォロアピン２２ｄが１群用カム溝１７Ｃ１の終端部まで移動すると、第１レンズ枠２２がカム環の前方に移動される。
【００５５】
続いて、フォロアピン２３ｄを、２群用カム溝１７Ｃ２のフォロアピン挿脱口１７Ｃ２ｘから導入部β３に進入させる。第１レンズ枠２２の角突起２２ｃと第２レンズ枠２３の角突起２３ｃはそれぞれ、共通の直進案内貫通溝１６ｃによって直進案内されるが、第１レンズ枠２２のフォロアピン２２ｄがカム溝１７Ｃ１の終端部に位置するときには、直進案内環１６とカム環１７の回転位相は、直進案内貫通溝１６ｃが２群用カム溝１７Ｃ２のフォロアピン挿脱口１７Ｃ２ｘと重なるようになっている。換言すれば、１群用カム溝１７Ｃ１の終端部と２群用カム溝１７Ｃ２のフォロアピン挿脱口１７Ｃ２ｘとは周方向の同一位置にある。よって、第１レンズ枠２２のフォロアピン２２ｄをカム溝１７Ｃ１の終端部まで移動させた状態において、第２レンズ枠２３のフォロアピン２３ｄをカム溝１７Ｃ２内に嵌めることができる。そして、フォロアピン２３ｄが２群用カム溝１７Ｃ２の終端部β４まで移動されるようにカム環１７と直進案内環１６を相対的に回転させると、フォロアピン２２ｄと２３ｄがいずれも図３の収納位置に移動される。
【００５６】
分解作業は以上と逆の手順で行い、まずフォロアピン２３ｄを２群用カム溝１７Ｃ２のフォロアピン挿脱口１７Ｃ２ｘまで移動させて第２レンズ枠２３を後方へ抜き取り、続いて、フォロアピン２２ｄを１群用カム溝１７Ｃ１のフォロアピン挿脱口１７Ｃ１ｘまで移動させて第１レンズ枠２２を後方へ抜き取る。
【００５７】
本ズームレンズ鏡筒では、各カム溝１７Ｃ１と１７Ｃ２に上述したような深さの変化を持たせることにより、フォロアピンの組込及び分解時の作業性向上を図っている。まず１群用カム溝１７Ｃ１では、組立時または分解時にのみフォロアピン２２ｄが通過する領域の一部を深カム溝部β（導入部β１、終端部β２）として形成している。この深カム溝部β内にフォロアピン２２ｄが位置しているときには、該フォロアピン２２ｄの先端部に対する１群用カム溝１７Ｃ１の底面位置が遠く、フォロアピン２２ｄは弾性舌片２２ｂを内径方向に弾性変形させずに（自由状態にさせて）、１群用カム溝１７Ｃ１と遊嵌した状態になっている。同様に、２群用カム溝１７Ｃ２でも、組立時または分解時にのみフォロアピン２３ｄが通過する領域の一部を深カム溝部β（導入部β３）として形成しており、この深カム溝部β内にフォロアピン２３ｄが位置するときには、フォロアピン２３ｄは２群用カム溝１７Ｃ２に対して遊嵌した状態にある。このような組立時や分解時にのみフォロアピン２２ｄ、２３ｄが通る領域では、フォロアピンとカム溝の間にフリクションを与えて厳密なレンズ位置を出す必要はない。上述のように本実施形態のズームレンズ鏡筒では、組立分解専用のカム溝領域の一部が溝深に形成されているので、当該溝深のカム溝領域に対してはフォロアピンが遊嵌される。これにより、組込時や分解時におけるカム嵌合部の摺動抵抗を小さくでき、作業性が向上する。
【００５８】
なお本実施形態では、１群用カム溝１７Ｃ１におけるワイド位置と終端部β２の間に位置する接続部ｙ１、及び２群用カム溝１７Ｃ２における導入部β３とワイド位置の間に位置する接続部ｙ２はそれぞれ、組立時または分解時にのみフォロアピン２２ｄ、２３ｄが通る組立用領域を構成しているが、通常カム溝部αに含まれている。この構成によると、１群用カム溝１７Ｃ１の終端部β２に位置する状態でフォロアピン２２ｄを軽く保持させることができ、また２群用カム溝１７Ｃ２の導入部β３に位置する状態でフォロアピン２３ｄを軽く保持させることができる。そのため、上述した組立分解作業において、カム環１７に対する第２レンズ枠２３の組込または抜取用の回転位置を決めやすく、作業性に優れるという利点がある。しかし、この接続部ｙ１、ｙ２を、深カム溝βの一部として形成することも可能である。
【００５９】
２群用カム溝１７Ｃ２ではさらに、導入部β３の途中において、フォロアピン挿脱口１７Ｃ２ｘの直後（光軸前方側）に浅カム溝部γが形成されている。浅カム溝部γをフォロアピン２３ｄが通るときには、第２レンズ枠２３の弾性舌片２３ｂの弾性変形量は、フォロアピン２３ｄが通常カム溝部αに嵌まっているときよりも大きい。端的に言えば、フォロアピン２３ｄを移動させるときの摺動抵抗が大きくなる。この浅カム溝部γは、嵌合後においてフォロアピン２３ｄが２群用カム溝１７Ｃ２から不用意に脱落しないようにするストッパの作用を有している。フォロアピン２３ｄがカム溝１７Ｃ２から脱落しなければ、カム環１７及び直進案内環１６からの第２レンズ枠２３の脱落が防止される。第２レンズ枠２３が脱落しなければ、該第２レンズ枠２３より前方に位置して直進案内貫通溝１６を共用している第１レンズ枠２２も、カム環１７及び直進案内環１６から脱落されずに保持される。分解時には、フォロアピン２３ｄが浅カム溝部γに達したときに、弾性舌片２３ｂを若干多く弾性変形させてからフォロアピン２３ｄを２群用カム溝１７Ｃ２のフォロアピン挿脱口１７Ｃ２ｘ側に移動させればよい。つまり、カム環１７、直進案内環１６、第１レンズ枠２２、及び第２レンズ枠２３の結合体をレンズブロックと見なした場合に、浅カム溝部γを形成したことにより該レンズブロックの組立状態を維持させることができ、組立作業性が向上する。なお、本実施形態ではカム環１７の内面には軌跡の異なる２種類の有底カム溝が形成されているが、カム溝が１種類の場合にも、このカム溝のフォロアピン挿脱口からズーム撮影領域までの導入部の途中位置に浅カム溝部を形成すれば、上述したストッパの作用が得られる。
【００６０】
以上の説明から明らかなように、本実施形態のズームレンズ鏡筒では、ズーミング用有底カム溝において組立時や分解時にのみフォロアピンが通る領域の少なくとも一部を溝深に形成したので、該領域をフォロアピンが通るときの摺動抵抗が低減され、組立及び分解時の作業性が向上する。また、カム溝のフォロアピン挿脱口からズーム撮影領域までの途中位置に、ズーム撮影領域よりも浅い浅カム溝部を形成したので、カム溝に組み込んだ後のフォロアピンの脱落を防止でき、組立性が向上する。なお、本実施形態はデジタルカメラ用ズームレンズに適用したものであるが、銀塩フィルムカメラのズームレンズ鏡筒に本発明を適用することもできる。
【００６１】
【発明の効果】
以上のように、本発明によれば、撮影時にはレンズの位置ずれを確実に防ぎ、かつ組立分解性に優れたズームレンズ鏡筒を得ることができる。
【図面の簡単な説明】
【図１】本発明によるズームレンズ鏡筒の全体構造を示す分解状態の斜視図である。
【図２】同組立状態の上半断面図である。
【図３】カム環のカム溝の展開図である。
【図４】第１レンズ枠、第２レンズ枠、直進案内環及びカム環の関係を示す分解斜視図である。
【図５】直進案内環の直進案内溝部分の背面図である。
【図６】直進案内環、直進案内リング、リテーナリングの分解状態の拡大分解斜視図である。
【図７】同拡大分解展開図である。
【図８】第２カム環とバリヤ駆動環の撮影状態（テレ端位置）における位置関係を示す展開図である。
【図９】同収納状態における位置関係を示す展開図である。
【図１０】ワイド撮影状態における外観筒と第２カム環（第１レンズ群）との位置関係を示す上半断面図である。
【図１１】テレ撮影状態における外観筒と第２カム環（第１レンズ群）との位置関係を示す上半断面図である。
【図１２】テレ撮影状態における外観筒と第２カム環（第１レンズ群）との位置関係を実線で、ワイド撮影状態におけるそれを鎖線で示す上半断面図である。
【図１３】バリヤブロックを背面側からみた分解斜視図である。
【図１４】バリヤ押え板を除くバリヤブロックを組立状態で背面側からみた斜視図である。
【図１５】バリヤブロックのバリヤ開閉状態を示す正面図である。
【図１６】第２カム環の回転付与凹部とバリヤ駆動環の回転伝達突起の関係を示す分解斜視図である。
【図１７】外観筒に回転自在に支持されたバリヤ駆動環の一方の回動端（バリア閉位置）での正面図である。
【図１８】同バリヤ駆動環の他方の回動端（バリア開位置）での正面図である。
【図１９】カム環におけるカム溝の深さの違いを示す断面図である。
【符号の説明】
Ｌ１  第１レンズ群
Ｌ２  第２レンズ群
Ｌ３  第３レンズ群
１０  ハウジング
１１  固定環
１１ａ  雄ねじ
１１ｂ  雌ヘリコイド
１１ｃ  直進案内溝
１２  基板
１２ａ  ＣＣＤ
１３  回転環
１３ａ  雌ねじ
１３ｂ  ギヤ
１３ｃ  回転伝達突起
１４  コード板
１５  ブラシ
１６  直進案内環
１６ａ  外方フランジ
１６ｂ  直進案内突起
１６ｃ  直進案内貫通溝
１６ｄ  バヨネット爪
１６ｅ  小径挿入部
１６ｆ  小径部
１６ｇ  回転規制凹部
１６ｈ  カムフォロア挿入溝
１７  カム環
１７ａ  ストッパ突起
１７ｂ  雄ヘリコイド
１７ｃ  回転伝達溝
１７ｄ  導入部
１７Ｃ１  １群用カム溝（有底カム溝）
１７Ｃ１ｘ  フォロアピン挿脱口（カムフォロア挿脱口）
１７Ｃ２  ２群用カム溝（有底カム溝）
１７Ｃ２ｘ  フォロアピン挿脱口（カムフォロア挿脱口）
１８  第２カム環
１８ａ  直進ガイド部
１８ｂ  進退ガイド溝
１８ｃ  回転付与凹部
１９  直進案内リング
１９ａ  回転規制凸部
１９ｂ  直進案内突起
２０  リテーナリング
２０ａ  固定爪
２０ｂ  カニメ溝
２１  圧縮ばね
２２  第１レンズ枠
２２ａ  筒状部
２２ｂ  弾性舌片（弾性支持手段）
２２ｃ  角突起（平行平面突起）
２２ｄ  フォロアピン（カムフォロア）
２２ｆ  ねじ
２２ｇ  フランジ
２２ｈ  ウェーブワッシャ
２３  第２レンズ枠
２３ａ  環状部
２３ｂ  弾性舌片（弾性支持手段）
２３ｃ  角突起（平行平面突起）
２３ｄ  フォロアピン（カムフォロア）
２３ｅ  レンズ筒
２３ｆ  固定ねじ
２３ｇ  フランジ
２４  シャッタブロック
２５  外観筒（フード筒）
２５ａ  直進ガイド溝
２５ｂ  ガイドピン
２５ｃ  ばね掛け突起
２６  バリヤ駆動環
２６ａ  回転伝達突起
２６ｂ  ばね掛け突起
２６ｃ  開閉ダボ
２６ｄ  遮光筒
２７  バリヤブロック
２７ａ  撮影開口
２７ｂ  化粧板
２７ｃ  ２７ｄ  バリヤ
２７ｅ  トーションばね
２７ｆ  バリヤ押え板
２７ｇ  共通軸
２７ｈ  開閉突起
２７ｉ  ２７ｊ  ２７ｋ  開閉突起
２８  引張ばね
２９  固定カバー筒
α  通常カム溝部
β（β１〜β４）  深カム溝部
γ  浅カム溝部
【図１】
0003619460.tif 000002
【図２】
0003619460.tif 000003
【図３】
0003619460.tif 000004
【図４】
0003619460.tif 000005
【図５】
0003619460.tif 000006
【図６】
0003619460.tif 000007
【図７】
0003619460.tif 000008
【図８】
0003619460.tif 000009
【図９】
0003619460.tif 000010
【図１０】
0003619460.tif 000011
【図１１】
0003619460.tif 000012
【図１２】
0003619460.tif 000013
【図１３】
0003619460.tif 000014
【図１４】
0003619460.tif 000015
【図１５】
0003619460.tif 000016
【図１６】
0003619460.tif 000017
【図１７】
0003619460.tif 000018
【図１８】
0003619460.tif 000019
【図１９】
0003619460.tif 000020